(57)【特許請求の範囲】
【請求項１】
対向配置された固定部を少なくとも一対備え、壁材に穿設された壁孔を介して壁裏に配置されるとともに、前記固定部を使用して器具又は前記器具の器具枠が壁表に設置されることで、前記壁材を前記器具又は前記器具枠とで挟持して壁裏に固定される器具取付部材であって、
前記壁材の裏面における前記壁孔の周縁に当接する当接面を有するとともに内側に前記器具が挿通可能な開口部を有する本体部を備え、
前記本体部は、前記壁裏に配置された前記本体部を壁表側に引き寄せるために伸縮可能な弾性体からなる引寄せ部を取り付け可能な取付部を有することを特徴とする器具取付部材。
【請求項２】
前記本体部が壁裏に固定された状態では、前記取付部は、前記壁孔を介して壁表に臨むように設けられていることを特徴とする請求項１に記載の器具取付部材。
【請求項３】
前記取付部は、前記本体部において、対向する固定部を結ぶ直線に直交し、且つ前記開口部を横断する直線上に設けられていることを特徴とする請求項１又は請求項２に記載の器具取付部材。
【請求項４】
対向配置された固定部を少なくとも一対備え、壁材に穿設された壁孔を介して壁裏に配置されるとともに、前記固定部を使用して器具又は前記器具の器具枠が壁表に設置されることで、前記壁材を前記器具又は前記器具枠とで挟持して壁裏に固定される器具取付部材であって、
前記壁材の裏面における前記壁孔の周縁に当接する当接面を有するとともに内側に前記器具が挿通可能な開口部を有する本体部を備え、
前記本体部が、前記壁裏に配置された前記本体部を壁表側に引き寄せるための引寄せ部を有するとともに、前記引寄せ部が伸縮可能な弾性体で形成されており、
前記引寄せ部は、前記開口部を横断するように前記本体部の対向する辺部に架け渡されていることを特徴とする器具取付部材。
【請求項５】
前記引寄せ部は、前記壁表に配置された前記器具又は前記器具枠の前面に掛止可能であり、且つ収縮により前記器具又は前記器具枠を前記壁材の表面に引き寄せて、前記器具又は前記器具枠と前記本体部とで前記壁材を挟持可能に形成されていることを特徴とする請求項４に記載の器具取付部材。
【請求項６】
対向配置された固定部を少なくとも一対備え、壁材に穿設された壁孔を介して壁裏に配置されるとともに、前記固定部を使用して器具又は前記器具の器具枠が壁表に設置されることで、前記壁材を前記器具又は前記器具枠とで挟持して壁裏に固定される器具取付部材の固定方法であって、
前記壁裏に配置された前記器具取付部材の本体部を、該本体部に設けられた伸縮可能な弾性体からなる引寄せ部により壁表側に引き寄せ、前記固定部を使用して前記本体部と前記器具又は前記器具枠とで前記壁材を挟持して壁裏に前記本体部を固定し、
前記引寄せ部を前記壁表に配置された前記器具又は前記器具枠の前面に掛止して、前記引寄せ部の収縮により前記器具又は前記器具枠を前記壁材の表面に引き寄せて、前記器具又は前記器具枠と前記本体部とで前記壁材を挟持することを特徴とする器具取付部材の固定方法。
【発明の詳細な説明】
【技術分野】
【０００１】
本発明は、器具取付部材、及び器具取付部材の固定方法に関する。
【背景技術】
【０００２】
従来から、建築物の壁に例えば配線器具を設置するために、壁裏には器具取付部材としての器具固定枠が配設される。この器具固定枠は、壁材に形成された壁孔を介して壁表側から壁裏に配置される。そして、配線器具が保持された器具枠と器具固定枠とで壁材を挟持した状態で、器具枠のビス挿通孔及び壁孔を介して器具固定枠のボス孔に固定ビスを螺合することで、器具固定枠を用いて配線器具が壁に設置される。このような器具固定枠としては、例えば特許文献１に開示されているものがある。
【０００３】
特許文献１の配線器具取付け具は、壁板に形成された配線器具取付孔（壁孔）を介して壁表から壁裏へ挿入される挟み金具（器具固定枠）を備える。さらに、配線器具取付け具は、挟み金具のねじ孔にねじを螺合させて締め付けることにより、配線器具取付孔の上下部の壁板を挟み金具とで挟着固定する器具取付板（器具枠）を備えている。
【０００４】
挟み金具は、配線器具を挿入可能とする長方形状の挿入孔を有する略ロ字型の枠状に形成された挟み金具本体（本体部）と、この挟み金具本体の上下部の中央部であって、配線器具取付孔内に位置する部位に形成されたねじ孔とを備えている。さらに、挟み金具は、挟み金具本体の上下両部に上下位置決め片を備えるとともに、挟み金具本体の左右両部に係止片を備える。上下位置決め片は挟み金具本体を爪状に切り起こして形成されるとともに、係止片は細長板状をなし、折り曲げ可能に形成されている。
【０００５】
そして、特許文献１の配線器具取付け具において、挟み金具本体を壁裏に配置した状態で、上下位置決め片を配線器具取付孔の上下部の周縁部に係止させる。さらに、係止片を配線器具取付孔の周縁部の壁板に沿うように折り曲げ、係止片を壁板に係止させることで、挟み金具が壁板に仮固定される。この壁板に対する係止片の係止により、挟み金具本体が隙間（壁裏）内へ落下してしまうことが防止されている。その後、配線器具取付孔を覆うように器具取付板を壁表に配置するとともに、挟み金具本体のねじ孔に、器具取付板のねじ挿入孔に挿通されたねじを螺合して締め込む。ここで、係止片が壁板に対して係止しているため、挟み金具本体のねじ孔にねじが螺合されても、挟み金具本体が壁裏側へ移動することがなく、挟み金具が壁板に本固定されるとともに壁板に配線器具が設置される。
【先行技術文献】
【特許文献】
【０００６】
【特許文献１】特開２００４−３２８９８４号公報
【発明の概要】
【発明が解決しようとする課題】
【０００７】
特許文献１では、挟み金具本体を壁板に配置した際に、係止片を配線器具取付孔の周縁部の壁板に係止させることで、挟み金具本体の壁裏側への移動を防止し、挟み金具本体が壁板から離れたり、壁裏へ落下してしまったりすることを防止している。しかし、係止片を壁板に係止させるためには、係止片の基端を壁表側へ折り曲げ、さらに、壁板の厚みに合わせて係止片を折り曲げなければならず、挟み金具本体の壁裏側への移動を防止するための作業が煩雑なものとなっていた。また、係止片を壁板に係止させる係止作業中に、挟み金具本体が壁裏側へ移動して、挟み金具本体が壁板から離れたり、壁裏へ落下してしまったりする虞があった。
【０００８】
本発明は、このような従来の技術に存在する問題点に着目してなされたものであり、その目的は、本体部を壁裏に配置した際の、本体部の壁裏側への移動を防止する作業を容易に行うことができる器具取付部材及び器具取付部材の固定方法を提供することにある。
【課題を解決するための手段】
【０００９】
上記目的を達成するために、請求項１に記載の発明は、対向配置された固定部を少なくとも一対備え、壁材に穿設された壁孔を介して壁裏に配置されるとともに、前記固定部を使用して器具又は前記器具の器具枠が壁表に設置されることで、前記壁材を前記器具又は前記器具枠とで挟持して壁裏に固定される器具取付部材であって、前記壁材の裏面における前記壁孔の周縁に当接する当接面を有するとともに内側に前記器具が挿通可能な開口部を有する本体部を備え、前記本体部は、前記壁裏に配置された前記本体部を壁表側に引き寄せるために伸縮可能な弾性体からなる引寄せ部を取り付け可能な取付部を有することを要旨とする。
【００１０】
請求項２に記載の発明は、請求項１に記載の発明において、前記本体部が壁裏に固定された状態では、前記取付部は、前記壁孔を介して壁表に臨むように設けられていることを要旨とする。
【００１１】
請求項３に記載の発明は、請求項１又は請求項２に記載の発明において、前記取付部は、前記本体部において、対向する固定部を結ぶ直線に直交し、且つ前記開口部を横断する直線上に設けられていることを要旨とする。
【００１２】
請求項４に記載の発明は、対向配置された固定部を少なくとも一対備え、壁材に穿設された壁孔を介して壁裏に配置されるとともに、前記固定部を使用して器具又は前記器具の器具枠が壁表に設置されることで、前記壁材を前記器具又は前記器具枠とで挟持して壁裏に固定される器具取付部材であって、前記壁材の裏面における前記壁孔の周縁に当接する当接面を有するとともに内側に前記器具が挿通可能な開口部を有する本体部を備え、前記本体部が、前記壁裏に配置された前記本体部を壁表側に引き寄せるための引寄せ部を有するとともに、前記引寄せ部が伸縮可能な弾性体で形成されており、前記引寄せ部は、前記開口部を横断するように前記本体部の対向する辺部に架け渡されていることを要旨とする。
【００１３】
（削除）
【００１４】
請求項５に記載の発明は、請求項４に記載の発明において、前記引寄せ部は、前記壁表に配置された前記器具又は前記器具枠の前面に掛止可能であり、且つ収縮により前記器具又は前記器具枠を前記壁材の表面に引き寄せて、前記器具又は前記器具枠と前記本体部とで前記壁材を挟持可能に形成されていることを要旨とする。
【００１５】
請求項６に記載の発明は、対向配置された固定部を少なくとも一対備え、壁材に穿設された壁孔を介して壁裏に配置されるとともに、前記固定部を使用して器具又は前記器具の器具枠が壁表に設置されることで、前記壁材を前記器具又は前記器具枠とで挟持して壁裏に固定される器具取付部材の固定方法であって、前記壁裏に配置された前記器具取付部材の本体部を、該本体部に設けられた伸縮可能な弾性体からなる引寄せ部により壁表側に引き寄せ、前記固定部を使用して前記本体部と前記器具又は前記器具枠とで前記壁材を挟持して壁裏に前記本体部を固定し、前記引寄せ部を前記壁表に配置された前記器具又は前記器具枠の前面に掛止して、前記引寄せ部の収縮により前記器具又は前記器具枠を前記壁材の表面に引き寄せて、前記器具又は前記器具枠と前記本体部とで前記壁材を挟持することを要旨とする。
【００１６】
（削除）
【発明の効果】
【００１７】
この発明によれば、本体部を壁裏に配置した際の、本体部の壁裏側への移動を防止する作業を容易に行うことができる。
【図面の簡単な説明】
【００１８】
【図１】実施形態における器具固定枠及び器具枠を示す斜視図。
【図２】係止突起が壁孔に挿入された状態を示す器具固定枠の正面図。
【図３】輪ゴムを壁表側へ引っ張った状態を示す斜視図。
【図４】スイッチの前面に輪ゴムを引っ掛けた状態を示す斜視図。
【図５】器具枠が壁に設置された状態を示す縦断面図。
【図６】別の実施形態における器具固定枠を示す斜視図。
【図７】別の実施形態における器具固定枠を示す斜視図。
【発明を実施するための形態】
【００１９】
以下、本発明を器具固定枠に具体化した一実施形態を図１〜図５にしたがって説明する。また、本実施形態における器具固定枠１０は、器具としてのスイッチＳが保持された状態の器具枠Ｈを建築物の壁Ｗに一つ設置するために壁Ｗ裏に設置されるものである。
【００２０】
まず、壁Ｗについて説明する。
図５に示すように、壁Ｗは、図示しない柱と、その柱の前後両面に立設される一対の壁材Ｗ１とによって構成されている。また、一対の壁材Ｗ１の間には中空部Ｋ（壁Ｗ裏）が形成されるとともに、中空部ＫにはケーブルＣが配設されている。なお、本実施形態において、壁材Ｗ１の所望位置には縦長楕円形状の壁孔Ｗ２が穿設される。この壁孔Ｗ２は、開口形状が縦長楕円形状をなすカップ状のケーシングを備えた電動穿孔具（図示せず）を用いて壁材Ｗ１に穿設される。
【００２１】
次に、器具固定枠１０について説明する。
図１に示すように、器具固定枠１０は、矩形枠状に形成される合成樹脂材料製の枠本体１１を備えている。
【００２２】
図２に示すように、枠本体１１は、対向する短辺を構成するとともに互いに平行に延びる辺部としての上枠部１２及び下枠部１３を備えている。また、枠本体１１は、対向する長辺を構成するとともに上枠部１２の右端部と下枠部１３の右端部とを繋ぐ辺部としての右側枠部１４、及び上枠部１２の左端部と下枠部１３の左端部とを繋ぐ辺部としての左側枠部１５を備えている。そして、枠本体１１の中央部には、上枠部１２、下枠部１３、右側枠部１４及び左側枠部１５により開口部としての挿通孔１１ａが囲み形成されている。
【００２３】
上枠部１２及び下枠部１３における長辺方向の長さは同じであるとともに、右側枠部１４及び左側枠部１５における長辺方向の長さは同じになっている。右側枠部１４及び左側枠部１５は、上枠部１２及び下枠部１３に対して直交する方向へ延びている。上枠部１２及び下枠部１３の表面１２ａ，１３ａ（一端面）と、右側枠部１４及び左側枠部１５の表面１４ａ，１５ａ（一端面）とは同一面上に位置しており、これら表面１２ａ，１３ａ，１４ａ，１５ａは、壁材Ｗ１の裏面における壁孔Ｗ２の周縁全周に亘って当接する当接面として機能する。
【００２４】
上枠部１２及び下枠部１３の中央部内側それぞれには、固定部としてのボス部１６が互いに対向配置され、枠本体１１は一対のボス部１６を備えている。各ボス部１６の表面は上枠部１２及び下枠部１３の表面１２ａ，１３ａよりも突出しており、各ボス部１６の厚みは上枠部１２及び下枠部１３の厚みよりも厚くなっている。各ボス部１６には、上枠部１２又は下枠部１３の厚み方向へ貫通する円孔状のボス孔１６ａが形成されるとともに、各ボス部１６内にはナットＮ１（図１参照）が埋設されている。そして、ナットＮ１には、器具枠Ｈを一対のボス部１６に固定するための固定ビスＢ１が螺合可能になっている。
【００２５】
上枠部１２及び下枠部１３の表面１２ａ，１３ａにおいて、各ボス部１６よりも外側には係止突起１７がそれぞれ設けられている。各係止突起１７は、上枠部１２及び下枠部１３の表面１２ａ，１３ａに対して直交する方向へ延びるように突出するとともに、各ボス部１６に対して外側へ膨らむように弧状に湾曲して形成されている。また、各係止突起１７は、各係止突起１７における各ボス部１６側とは反対側の側面全体が、壁孔Ｗ２の内周面において、壁孔Ｗ２における長辺側の対向する円弧部分それぞれに沿うように円弧状に形成されている。
【００２６】
枠本体１１における一対のボス部１６同士を結ぶ直線Ｌ１の両側に位置する右側枠部１４及び左側枠部１５の長辺方向中央部の挿通孔１１ａ側それぞれには、取付部としての取付片３１が設けられている。各取付片３１は、直線Ｌ１に直交し、且つ挿通孔１１ａを横断する直線Ｌ２上に設けられ、互いに対向している。各取付片３１は、右側枠部１４又は左側枠部１５の内面に対して直交する方向へ延びる第１延在部３１ａと、第１延在部３１ａの先端から右側枠部１４及び左側枠部１５の長辺方向に沿って延びる第２延在部３１ｂと、第２延在部３１ｂの両端から右側枠部１４又は左側枠部１５側に向かって延びる第３延在部３１ｃとから構成されている。
【００２７】
各第３延在部３１ｃの先端と右側枠部１４又は左側枠部１５の内面との間には隙間３２が形成されるとともに、各第２延在部３１ｂと右側枠部１４又は左側枠部１５との間には取付用空間３３が形成されている。そして、各取付用空間３３は、隙間３２を介して挿通孔１１ａ側に開放されている。
【００２８】
各取付片３１には、引寄せ部としての輪ゴムＧ（伸縮可能な弾性体）が掛止されるとともに、輪ゴムＧが両取付片３１に架け渡されている。輪ゴムＧは、その一部を、一方の両隙間３２を介して一方の両取付用空間３３内に位置させるとともに、他の一部を、他方の両隙間３２を介して他方の両取付用空間３３内に位置させて、両取付片３１に掛止させている。また、輪ゴムＧは、伸長した状態で挿通孔１１ａを横断するように両取付片３１に架け渡されている。輪ゴムＧは、各取付片３１に掛止させた部位が各第３延在部３１ｃに引っ掛かるようになっているため、輪ゴムＧは隙間３２を介して挿通孔１１ａ側へ抜け難くなっている。
【００２９】
次に、上記構成の器具固定枠１０を壁Ｗ裏に固定する方法、及び器具固定枠１０を用いてスイッチＳを壁Ｗに設置する方法について説明する。
まず、一方の壁材Ｗ１の所望位置に壁孔Ｗ２を、電動穿孔具を用いて穿設するとともに、中空部Ｋに配設されたケーブルＣを壁孔Ｗ２から壁材Ｗ１の表側に引き出す。次に、作業者は、器具固定枠１０を把持するとともに、ケーブルＣを挿通孔１１ａの内側を通過させ、器具枠Ｈに予め保持されたスイッチＳにケーブルＣを接続する。そして、枠本体１１を、長辺方向に沿う方向を挿入方向として、短辺側から壁孔Ｗ２を介して中空部Ｋ内に挿入する。すると、枠本体１１全体が壁孔Ｗ２を通過して、器具固定枠１０が中空部Ｋ内に位置する。
【００３０】
次に、図２に示すように、作業者は、各係止突起１７における各ボス部１６側とは反対側の側面全体が、壁孔Ｗ２の内周面において、壁孔Ｗ２における長辺側の対向する円弧部分それぞれに沿うように位置調整しながら、各係止突起１７を壁孔Ｗ２内に挿入する。すると、各係止突起１７の壁孔Ｗ２の内周面への係止により、枠本体１１は、壁孔Ｗ２に対して回転が規制された状態で位置決めされる。このとき、取付片３１及び輪ゴムＧは、壁孔Ｗ２を介して壁Ｗ表に臨んだ状態になっている。
【００３１】
次に、図３に示すように、輪ゴムＧにおける挿通孔１１ａを横断している部位を壁孔Ｗ２を介して壁Ｗ表側へ引っ張り、枠本体１１を壁Ｗ表側へ引き寄せるとともに、各表面１２ａ，１３ａ，１４ａ，１５ａを壁材Ｗ１の裏面における壁孔Ｗ２周縁全周に亘って当接させる。この枠本体１１の引き寄せにより、枠本体１１が壁Ｗ裏側へ移動することが防止される。さらに、図４に示すように、輪ゴムＧを引っ張った状態で、器具枠Ｈを輪ゴムＧの内側に配置しながら壁材Ｗ１の表側に配置し、スイッチＳの前面に輪ゴムＧを掛止させる。すると、この輪ゴムＧの収縮により、枠本体１１が壁材Ｗ１の裏面に引き寄せられるとともに器具枠Ｈが壁材Ｗ１の表面に引き寄せられる。このため、枠本体１１と器具枠Ｈとで壁材Ｗ１が挟持され、器具枠Ｈが壁材Ｗ１の表面に仮止めされる。
【００３２】
そして、図５に示すように、固定ビスＢ１を、器具枠Ｈのビス挿通孔Ｈ１、壁孔Ｗ２及びボス孔１６ａを介してナットＮ１に締め込む。このとき、枠本体１１は、輪ゴムＧにより壁材Ｗ１に向けて引き寄せられている。このため、ナットＮ１に固定ビスＢ１が締め込まれる際、枠本体１１は壁Ｗ裏側へ移動し難くなっている。そして、器具固定枠１０は、壁材Ｗ１を器具枠Ｈと共に挟持した状態で、壁材Ｗ１裏面（壁Ｗ裏）に固定されるとともに、器具枠Ｈが壁材Ｗ１の表面に固定され、スイッチＳが壁Ｗに設置される。その後、取付片３１を、第１延在部３１ａの基端を基点にして枠本体１１から折り曲げ除去し、輪ゴムＧを回収する。
【００３３】
上記実施形態では以下の効果を得ることができる。
（１）枠本体１１の右側枠部１４及び左側枠部１５には取付片３１が設けられるとともに、各取付片３１には輪ゴムＧが両取付片３１の間に架け渡されるようにして取り付けられている。そして、枠本体１１を壁Ｗ裏に配置した際に、輪ゴムＧを壁孔Ｗ２を介して壁Ｗ表側へ引っ張るだけで、輪ゴムＧ及び取付片３１を介して枠本体１１を壁Ｗ表側へ引き寄せることができる。その結果、従来技術のような係止片を配線器具取付孔の周縁部の壁板に沿うように折り曲げるといった作業を必要とせずに、枠本体１１の壁Ｗ裏側への移動を防止する作業を容易に行うことができる。
【００３４】
（２）枠本体１１が壁材Ｗ１の裏面に固定された状態では、取付片３１は、壁孔Ｗ２を介して壁Ｗ表に臨んだ状態になっている。よって、取付片３１を、壁Ｗ表側から折り曲げ除去することができ、輪ゴムＧを切断することなくそのままの状態で回収することができる。
【００３５】
（３）輪ゴムＧは、挿通孔１１ａを横断するように両取付片３１の間に架け渡されている。よって、輪ゴムＧにおける挿通孔１１ａを横断している部位を掴んで引っ張るだけで、両取付片３１を同時に壁Ｗ表側に引っ張ることができ、枠本体１１を壁Ｗ表側へ引き寄せることができる。したがって、輪ゴムＧが両取付片３１の間に架け渡されておらず、両取付片３１別々にゴムが取り付けられている場合のように、両ゴムを同時に引っ張らなければ枠本体１１を壁Ｗ表側へ引き寄せられない場合に比べると、枠本体１１を壁Ｗ表側へ引き寄せる作業を容易に行うことができる。
【００３６】
（４）輪ゴムＧは、輪ゴムＧの内側に器具枠Ｈを配置し、その器具枠Ｈに保持されたスイッチＳの前面に輪ゴムＧを引っ掛けると、輪ゴムＧの収縮により、器具枠Ｈと枠本体１１とで壁材Ｗ１を挟持することが可能な長さに形成されている。よって、輪ゴムＧにより、器具枠Ｈと枠本体１１とを壁Ｗ側に引き寄せて、枠本体１１と器具枠Ｈとで壁材Ｗ１を挟持した状態で、器具枠Ｈを壁材Ｗ１の表面に仮止めすることができる。したがって、作業者は、固定ビスＢ１をナットＮ１に締め込む作業をする際に、両手を使って作業することができ、輪ゴムＧを引っ張りながら固定ビスＢ１をナットＮ１に締め込む作業をする場合に比べて作業性が向上する。
【００３７】
（５）輪ゴムＧが両取付片３１の間に架け渡された状態では、輪ゴムＧが各第３延在部３１ｃに引っ掛かるため、輪ゴムＧが隙間３２を介して挿通孔１１ａ側へ抜け落ちてしまうことを抑制することができる。
【００３８】
（６）各取付片３１は、右側枠部１４及び左側枠部１５の長辺方向中央部に設けられている。よって、輪ゴムＧを壁Ｗ表側へ引っ張ると、取付片３１を介して右側枠部１４及び左側枠部１５の長辺方向中央部が壁Ｗ表側へ引っ張られ、枠本体１１を、壁材Ｗ１の裏面に対して平行な状態で壁Ｗ表側へ引き寄せることができる。したがって、例えば、各取付片３１が右側枠部１４及び左側枠部１５における上枠部１２寄りの部位に設けられている場合のように、輪ゴムＧを引っ張ったときに、枠本体１１が壁材Ｗ１の裏面に対して傾きながら壁Ｗ表側へ引き寄せられることを防止することができる。
【００３９】
（７）輪ゴムＧは伸縮性があるため、例えば、伸縮性のない紐により枠本体１１を壁Ｗ表側へ引き寄せる場合に比べて、枠本体１１が壁材Ｗ１の裏面に当接した状態であっても、輪ゴムＧを伸長させて引っ張れる分、枠本体１１を壁Ｗ表側へ引き寄せ易い。
【００４０】
（８）輪ゴムＧは伸縮性がある。よって、例えば、壁材Ｗ１の厚みが厚い場合であっても、輪ゴムＧを大きく引っ張ることで、スイッチＳを保持した器具枠Ｈを輪ゴムＧの内側に配置することができ、その器具枠Ｈに保持されたスイッチＳの前面に輪ゴムＧを引っ掛けることができる。
【００４１】
（９）輪ゴムＧは環状であるため、両取付片３１に掛止するだけで輪ゴムＧを挿通孔１１ａを横断するように両取付片３１の間に架け渡すことができ、枠本体１１に輪ゴムＧを取り付けることができる。
【００４２】
なお、上記実施形態は以下のように変更してもよい。
○  実施形態において、輪ゴムＧは、両取付片３１の間に架け渡されるように取り付けられていたが、これに限らず、例えば、図６に示すように、輪ゴムＧを、右側枠部１４及び左側枠部１５の中央部外側面を取り囲むように巻き付けて、右側枠部１４及び左側枠部１５の中央部の間に架け渡されるように取り付けてもよい。すなわち、取付片３１を削除してもよい。
【００４３】
○  実施形態において、取付部として、図７に示すような取付片２５を設けてもよい。  各取付片２５は、右側枠部１４及び左側枠部１５の長辺方向に沿って細長に延びるように設けられている。各取付片２５は、基端が右側枠部１４又は左側枠部１５と一体形成されるとともに、上枠部１２側から下枠部１３側に向かって延びるように形成されている。また、各取付片２５における挿通孔１１ａ側の側面と、右側枠部１４又は左側枠部１５における挿通孔１１ａ側の側面とは同一平面上になっている。また、各取付片２５の先端と右側枠部１４又は左側枠部１５との間には隙間２５ａが形成されている。さらに、各取付片２５における挿通孔１１ａ側とは反対側の側面と、右側枠部１４又は左側枠部１５との間には取付用空間２５ｂが形成されるとともに、各取付用空間２５ｂは、隙間２５ａを介して挿通孔１１ａ側に開放されている。また、各取付片２５の先端には、取付用空間２５ｂ側へ膨出する膨出部２５ｃが形成されている。よって、輪ゴムＧが両取付片２５の間に架け渡された状態では、輪ゴムＧが各膨出部２５ｃに引っ掛かるため、輪ゴムＧが隙間２５ａを介して挿通孔１１ａ側へ抜け落ちてしまうことを抑制することができる。また、輪ゴムＧを回収する際には、取付片２５を、基端を基点にして枠本体１１から折り曲げ除去するか、又は輪ゴムＧを、各取付片２５に掛止させた部位が各膨出部２５ｃを乗り越えるように下枠部１３側に向けて引っ張ることで、輪ゴムＧを隙間２５ａを介して取付片２５から取り外して、輪ゴムＧを回収する。
【００４４】
また、各取付片２５は、その基端から先端に向かう方向が右側枠部１４及び左側枠部１５の長辺方向に沿って上枠部１２側から下枠部１３側に向かう方向となるように設けられていたが、これに限らない。例えば、一方の取付片２５は、その基端から先端に向かう方向が右側枠部１４及び左側枠部１５の長辺方向に沿って上枠部１２側から下枠部１３側に向かう方向となるように設けられている。また、他方の取付片２５は、その基端から先端に向かう方向が右側枠部１４及び左側枠部１５の長辺方向に沿って下枠部１３側から上枠部１２側に向かう方向となるように設けられている。このように、各取付片２５の基端から先端に向かう方向がそれぞれ異なっていてもよい。
【００４５】
○  実施形態において、輪ゴムＧは、両取付片３１の間に架け渡されるように取り付けられていたが、これに限らず、輪ゴムＧを、上枠部１２及び下枠部１３の中央部外側面を取り囲むように巻き付けて、上枠部１２及び下枠部１３の中央部の間に架け渡されるように取り付けてもよい。すなわち、取付片３１を削除してもよい。
【００４６】
○  実施形態において、両取付片３１の間には、輪ゴムＧが架け渡されるように取り付けられていたが、これに限らず、不完全環状のゴムの両端部を各取付片３１に取り付けて、ゴムが両取付片３１の間に架け渡されていてもよい。
【００４７】
○  実施形態において、右側枠部１４及び左側枠部１５に取付片３１を複数並設するとともに、各取付片３１に輪ゴムＧを架け渡して、輪ゴムＧが枠本体１１の長辺方向に沿って複数並設されるようにしてもよい。これによれば、輪ゴムＧが一つの場合に比べて、スイッチＳを保持した器具枠Ｈを各輪ゴムＧの内側に配置して、その器具枠Ｈに保持されたスイッチＳの前面に各輪ゴムＧを引っ掛けることで、器具枠Ｈと枠本体１１とを壁Ｗ側に引き寄せて、枠本体１１と器具枠Ｈとによる壁材Ｗ１の挟持を強固なものとすることができる。
【００４８】
○  実施形態において、各取付片３１は、右側枠部１４及び左側枠部１５の長辺方向中央部に設けられていたが、これに限らず、枠本体１１における挿通孔１１ａ側の内面であって、対向する部位であれば、各取付片３１が設けられる位置は特に限定されない。例えば、挿通孔１１ａにおける対向する角部に取付片を設けて、輪ゴムＧが挿通孔１１ａにおける対向する一方の角部から他方の角部の間に架け渡されていてもよい。
【００４９】
○  実施形態では、スイッチＳの前面に輪ゴムＧを引っ掛け、器具枠Ｈが壁材Ｗ１の表面に仮止めされた状態で、固定ビスＢ１をナットＮ１に締め込む作業を行ったが、これに限らない。例えば、輪ゴムＧを引っ張りながら器具枠Ｈを輪ゴムＧの内側に配置して、固定ビスＢ１をナットＮ１に締め込む作業を行ってもよい。この場合、引寄せ部として両取付片３１別々にゴムを取り付け、両ゴムを引っ張って枠本体１１を壁Ｗ表側へ引き寄せてもよいし、両ゴムの先端側を結んで環状にしてもよい。
【００５０】
○  実施形態では、スイッチＳが壁Ｗに設置された後、取付片３１を、基端を基点にして枠本体１１から折り曲げ除去することで、輪ゴムＧを回収していたが、これに限らず、取付片３１を折り曲げ除去せずに、輪ゴムＧを切断することで、輪ゴムＧを回収してもよい。
【００５１】
○  実施形態では、器具固定枠１０を把持して、枠本体１１を、長辺方向に沿う方向を挿入方向として、短辺側から壁孔Ｗ２を介して中空部Ｋ内に挿入したが、これに限らず、取付片３１に取り付けられた輪ゴムＧを把持して、枠本体１１を、長辺方向に沿う方向を挿入方向として、短辺側から壁孔Ｗ２を介して中空部Ｋ内に挿入してもよい。
【００５２】
○  実施形態において、壁材Ｗ１に穿設される壁孔Ｗ２の形状は縦長楕円形状であったが、これに限らず、例えば、縦長四角形状、小判形状、真円を一部分が重合するように二つ形成した略瓢箪状、又は複数の円形の穿孔を一部重合させて形成された壁孔であってもよい。
【００５３】
○  実施形態において、器具枠Ｈに取り付けられる器具はスイッチＳであったが、これに限らず、器具枠Ｈに取り付けられる器具は、例えば、コンセントや報知器であってもよい。
【００５４】
○  器具として報知器を適用した場合は、報知器をボス部１６に直接固定して、報知器と器具固定枠１０とで壁材Ｗ１を挟持することで、壁Ｗに報知器を設置するようにしてもよい。
【００５５】
○  本発明を、スイッチＳが保持された状態の器具枠Ｈを壁Ｗに一つ設置する場合に用いられる器具固定枠１０に適用したが、これに限らず、器具枠Ｈを壁Ｗに二つ以上並設する場合に用いられる器具固定枠に適用してもよい。
【００５６】
○  本発明を、器具固定枠１０に具体化したが、これに限らず、一面に開口部を有するとともに有底四角箱状の配線ボックスに具体化してもよい。
次に、上記実施形態及び別例から把握できる技術的思想について以下に追記する。
【００５７】
（イ）前記器具取付部材は、前記本体部として、矩形枠状をなす枠本体を備えた器具固定枠であることを特徴とする請求項１〜請求項６のいずれか一項に記載の器具取付部材。
【符号の説明】
【００５８】
Ｂ１…固定ビス、Ｇ…引寄せ部としての輪ゴム、Ｈ…器具枠、Ｗ…壁、Ｗ１…壁材、Ｗ２…壁孔、Ｓ…器具としてのスイッチ、１０…器具取付部材としての器具固定枠、１１…本体部としての枠本体、１１ａ…開口部としての挿通孔、１２…辺部としての上枠部、１２ａ，１３ａ，１４ａ，１５ａ…当接面として機能する表面、１３…辺部としての下枠部、１４…辺部としての右側枠部、１５…辺部としての左側枠部、１６…固定部としてのボス部、２５，３１…取付部としての取付片。
【図１】
0005548084.tif 000002
【図２】
0005548084.tif 000003
【図３】
0005548084.tif 000004
【図４】
0005548084.tif 000005
【図５】
0005548084.tif 000006
【図６】
0005548084.tif 000007
【図７】
0005548084.tif 000008